(57)【特許請求の範囲】
【請求項１】
河川に設けられていて、水の流量を調整するローラゲートにおいて、
河川に立設されている少なくとも一対の支柱構造体と、
前記一対の支柱構造体の間にローラを介して昇降可能に配置されている扉構造体と、
前記扉構造体を昇降させる昇降装置と、
を備え、
前記扉構造体の上流側の河川には、上流側の河川の水位に追従しかつ空気を吸込みながら上流側の河川の水を取り込む取水部材が、配置されていて、
前記扉構造体の近傍には、前記取水部材に取り込まれた水を前記扉構造体に撒く散水部材が、配置されていて、
前記取水部材と前記散水部材との間には、空気を含んでいる上流側の河川の水を前記取水部材から前記散水部材に送る送水管が、配置されている、
ことを特徴とするローラゲート。
【請求項２】
前記散水部材は、前記扉構造体の頂部の近傍に配置されている、ことを特徴とする請求項１に記載のローラゲート。
【発明の詳細な説明】
【技術分野】
【０００１】
この発明は、河川に設けられていて、水の流量を調整するローラゲートに関するものである。特に、この発明は、扉構造体が日照により変形するのを防止して漏水を防止することができるローラゲートに関するものである。なお、この明細書、別紙の特許請求の範囲における「河川」とは、河川をはじめとして、水路、ダム、運河、湖沼、貯水池などを含む。
【背景技術】
【０００２】
ローラゲートは、従来からある（たとえば、特許文献１、特許文献２、特許文献３、特許文献４）。前記の従来のローラゲートは、河川に立設されている少なくとも一対の支柱構造体と、一対の支柱構造体の間にローラを介して昇降可能に配置されている扉構造体と、扉構造体を昇降させる昇降装置と、を備えるものであって、昇降装置により扉構造体を昇降させることにより、河川の水の流量を調整するものである。
【０００３】
かかるローラゲートにおいては、扉構造体が日照により変形する場合がある。すなわち、扉構造体の頂部が日照により暖められ、扉構造体の頂部と底部との間に温度差が生じて、扉構造体が変形する（図３、図４、図９、図１０中の符号「３」の二点鎖線の状態を参照）。扉構造体が変形すると、上流側の河川の水が変形した扉構造体の中央部の底部を経て下流側の河川に漏れ出す場合がある（図４、図１０中の符号「２６」の二点鎖線矢印を参照）。この日照による扉構造体の変形および漏水は、特に、河川の幅方向（径間方向）が長い長径間のローラゲートにおいて起こり易く、かつ、夏場において起こり易い。
【先行技術文献】
【特許文献】
【０００４】
【特許文献１】特開平７−２５９０５９号公報
【特許文献２】特開２００３−１２９４５２号公報
【特許文献３】特開２００３−１２９４５３号公報
【特許文献４】特開２００８−２４０２９６号公報
【発明の概要】
【発明が解決しようとする課題】
【０００５】
この発明が解決しようとする課題は、扉構造体が日照により変形するのを防止して漏水を防止することにある。
【課題を解決するための手段】
【０００６】
この発明（請求項１にかかる発明）は、河川に立設されている少なくとも一対の支柱構造体と、一対の支柱構造体の間にローラを介して昇降可能に配置されている扉構造体と、扉構造体を昇降させる昇降装置と、を備え、扉構造体の上流側の河川には、上流側の河川の水位に追従しかつ空気を吸込みながら上流側の河川の水を取り込む取水部材が、配置されていて、扉構造体の近傍には、取水部材に取り込まれた水を扉構造体に撒く散水部材が、配置されていて、取水部材と散水部材との間には、空気を含んでいる上流側の河川の水を取水部材から散水部材に送る送水管が、配置されている、ことを特徴とする。
【０００７】
この発明（請求項２にかかる発明）は、散水部材が扉構造体の頂部の近傍に配置されている、ことを特徴とする。
【発明の効果】
【０００８】
この発明（請求項１にかかる発明）のローラゲートは、前記の課題を解決するための手段により、上流側の河川の水が取水部材により空気と共に取り込まれて送水管を経て散水部材から扉構造体に撒かれるので、この撒かれた河川の水の気化熱で、日照により暖められた扉構造体の温度を下げることができる。これにより、この発明（請求項１にかかる発明）のローラゲートは、扉構造体が日照により暖められて、扉構造体に温度差が生じて、扉構造体が変形するのを防止することができるので、漏水を防止することができる。
【０００９】
この発明（請求項１にかかる発明）のローラゲートは、空気と共に取り込まれた上流側の河川の水を、取水部材から送水管を経て散水部材に送るものであるから、電動ポンプにより河川の水を扉構造体に撒くもの（システム）と比較して、ランニングコストが安価であり、かつ、構造が簡単であり、コンパクトである。
【００１０】
この発明（請求項２にかかる発明）のローラゲートは、上流側の河川の水を扉構造体の頂部に撒くことができるので、特に、日照により暖められ易い扉構造体の頂部の温度を下げることができる。これにより、この発明（請求項２にかかる発明）のローラゲートは、扉構造体の頂部が日照により暖められて、扉構造体の頂部と底部との間に温度差が生じて、扉構造体が変形するのを確実に防止することができるので、漏水を確実に防止することができる。
【図面の簡単な説明】
【００１１】
【図１】図１は、この発明にかかるローラゲートの実施例１を示す概略縦断面図（概略垂直断面図、図２におけるＩＶ−ＩＶ線断面図に対応する断面図、図４に対応する断面図）である。
【図２】図２は、図１におけるＩＩ矢視図（概略平面図）である。
【図３】図３は、図２におけるＩＩＩ矢視図（概略正面図）である。
【図４】図４は、図２におけるＩＶ−ＩＶ線断面図（概略縦断面図、概略垂直断面図）である。
【図５】図５は、上流側の河川の水が取水部材から送水管を経て散水部材に送られる原理を示す説明図である。
【図６】図６は、取水部材を示す概略縦断面図（概略垂直断面図）である。
【図７】図７は、この発明にかかるローラゲートの実施例２を示す概略縦断面図（概略垂直断面図、図８におけるＸ−Ｘ線断面図に対応する断面図、図１０に対応する断面図）である。
【図８】図８は、図７におけるＶＩＩＩ矢視図（概略平面図）である。
【図９】図９は、図８におけるＩＸ矢視図（概略正面図）である。
【図１０】図１０は、図８におけるＸ−Ｘ線断面図（概略縦断面図、概略垂直断面図）である。
【図１１】図１１は、上流側の河川の水が取水部材から送水管を経て散水部材に送られる原理を示す説明図である。
【発明を実施するための形態】
【００１２】
以下、この発明にかかるローラゲートの実施例のうちの２例を図面に基づいて詳細に説明する。なお、この実施例によりこの発明が限定されるものではない。
【実施例１】
【００１３】
図１〜図６は、この発明にかかるローラゲートの実施例１を示す。図１中における符号「１」は、この実施例１にかかるローラゲートである。
【００１４】
「構造の説明」
前記ローラゲート１は、支柱構造体（ピア）２と、扉構造体３と、昇降装置４と、取水部材５と、散水部材６と、送水管７と、を備えるものである。河川８は、図中の白抜きの矢印方向に流れている。
【００１５】
前記支柱構造体２は、たとえば、コンクリート製の土木構造体であって、河川８の底部９に固定されている。前記支柱構造体２は、少なくとも一対、河川８の幅方向（径間方向）に所定の間隔をあけて立設されている。前記支柱構造体２を立設する数、および、前記支柱構造体２間の間隔は、河川８の幅方向（径間方向）の長さにより、適宜に決定される。前記支柱構造体２の頂部には、操作室１０が設けられている。前記支柱構造体２の側部には、戸溝や戸当たり部材１１が垂直方向（縦方向、上下方向）に設けられている。前記一対の支柱構造体２の中間部（河川８の水面１２よりも上位の位置の部分）の間には、管理橋１３が水平方向（横方向、左右方向、河川８の幅方向）に架け渡されている。
【００１６】
前記扉構造体３は、たとえば、鋼製のシェル構造をなすものである。前記扉構造体３の両端面には、主ローラ（ガイドローラ）１４やサイドローラがそれぞれ回転可能に設けられている。河川８の底部９のうち、前記扉構造体３が着床する部分には、底部戸当たり部材１５が設けられている。前記主ローラ１４やサイドローラを前記戸溝や戸当たり部材１１に係合させることにより、前記扉構造体３は、前記一対の支柱構造体２の間に昇降可能に配置される。
【００１７】
前記昇降装置４は、前記操作室１０内に配置されている巻き上げ機（巻き上げウインチ）１６を備える。前記巻き上げ機１６には、ガイドシーブ１７が設けられている。前記扉構造体３の左右両端面の上部には、吊金具１８を介して吊シーブ１９が設けられている。前記ガイドシーブ１７と前記吊シーブ１９との間には、ワイヤロープ２０が掛け回されている。前記昇降装置４は、前記巻き上げ機１６を始めに、前記ガイドシーブ１７、前記ワイヤロープ２０から構成されている。前記吊金具１８、前記吊シーブ１９は、前記扉構造体３側に設けられている。前記扉構造体３は、前記昇降装置４により昇降される。
【００１８】
前記取水部材５は、図６に示すように、フロート２１と、呑み口２２と、取付部材２３と、スクリーン２４と、から構成されている。前記フロート２１は、円形もしくは角形の環状形状をなす。前記呑み口２２は、漏斗形状をなしていて、前記フロート２１に前記取付部材２３により取り付けられている。前記スクリーン２４は、前記呑み口２２の流入側の開口部に設けられている。
【００１９】
前記取水部材５は、前記扉構造体３の上流側の河川８に配置されている。前記取水部材５の前記呑み口２２の流入側の開口（スクリーン２４）は、前記フロート２１の浮力により、上流側の河川８の水位（水面１２）の変化（図６中の実線矢印の上下方向の変化）に常時追従することができる。前記取水部材５は、前記呑み口２２の流入側の開口（スクリーン２４）から、空気（図中の小丸）２５を吸込みながら上流側の河川８の水（図中の実線矢印）２６を取り込む。前記取水部材５としては、たとえば、特開２０００−２７１６３号公報を参照。
【００２０】
前記散水部材６は、開閉弁と、前記開閉弁に連結されたノズルと、から構成されている。前記散水部材６は、前記扉構造体３の頂部の近傍であって前記管理橋１３に、河川８の幅方向（径間方向）に所定間隔をあけて複数個配置されている。
【００２１】
前記送水管７は、前記取水部材５と前記散水部材６との間に配置されている。前記送水管７は、フレキシブル管２７と、放水管２８と、第１分岐管２９と、第２分岐管３０と、散水管３１と、弁（仕切弁、開閉弁）３２と、から構成されている。
【００２２】
前記フレキシブル管２７は、上流側の河川８に配置されている。前記フレキシブル管２７の一端は、前記取水部材５の前記呑み口２２の流出側の開口に接続されている。前記放水管２８は、前記支柱構造体２の底部に水平方向（河川８の流れ方向）に埋設されている。前記放水管２８の一端は、前記フレキシブル管２７の他端に接続されている。前記第１分岐管２９は、前記支柱構造体２の後部（河川８の下流側の部分）に垂直方向に埋設されている。前記第１分岐管２９の一端は、前記放水管２８の途中に接続されている。前記第２分岐管３０は、前記管理橋１３に沿って水平方向に配置されている。前記第２分岐管３０は、前記第１分岐管２９の他端に接続されている。前記散水管３１は、前記管理橋１３に配置されている。前記散水管３１の一端は、前記第２分岐管３０に接続されている。前記散水部材６は、前記散水管３１の他端に接続されている。前記弁３２は、前記放水管２８の他端に設けられていて、前記扉構造体３から下流側の河川８に配置されている。
【００２３】
「作用の説明」
この実施例１にかかるローラゲート１は、以上のごとき構成からなり、以下、その作用について説明する。
【００２４】
扉構造体３から上流側の河川８の水２６は、空気２５と共に、取水部材５の呑み口２２の流入側の開口部からスクリーン２４を経て呑み口２２内に取り込まれる。このとき、河川８の水２６の中の異物は、スクリーン２４により取り除かれる。呑み口２２内に空気２５と共に取り込まれた水２６は、呑み口２２の流出側の開口部から送水管７のフレキシブル管２７、放水管２８、第１分岐管２９、第２分岐管３０、散水管３１に送り込まれる。
【００２５】
ここで、呑み口２２内および送水管７（フレキシブル管２７、放水管２８、第１分岐管２９、第２分岐管３０、散水管３１）内の水２６は、空気２５を含んでいるので、見掛けの比重が１未満である。この結果、呑み口２２内および送水管７内の水２６は、扉構造体３から上流側の河川８の水面１２（水位）より上位に上昇することができる。いわゆる、エアリフトポンプの原理である。
【００２６】
管理橋１３に配置されている散水部材６の開閉弁を開くと、散水部材６のノズルから空気２５と共に水２６が扉構造体３の頂部に撒かれる。扉構造体３の頂部に撒かれた水２６は、蒸発する。このときの気化熱により、扉構造体３の頂部の温度が下がる。散水部材６の開閉弁の開度を調整することにより、散水部材６のノズルから扉構造体３の頂部に撒く水２６の量を調整することができる。また、散水部材６の開閉弁の開度をそのままの状態で固定しておいて、送水管７の放水管２８の弁３２の開度を調整して水２６の量を調整することもできる。なお、散水部材６の開閉弁を閉じて、送水管７の放水管２８の弁３２を開いて、水２６を、扉構造体３に撒かずに、そのまま扉構造体３から下流側の河川８に放出することができる。
【００２７】
「効果の説明」
この実施例１にかかるローラゲート１は、以上のごとき構成および作用からなり、以下、その効果について説明する。
【００２８】
この実施例１にかかるローラゲート１は、扉構造体３の上流側の河川８の水２６が取水部材５により空気２５と共に取り込まれて送水管７を経て散水部材６から扉構造体３に撒かれるので、この撒かれた河川８の水２６の気化熱で、日照により暖められた扉構造体３の温度を下げることができる。これにより、この実施例１にかかるローラゲート１は、扉構造体３が日照により暖められて、扉構造体３に温度差が生じて、扉構造体３が変形するのを防止することができるので、漏水を防止することができる。特に、長径間のローラゲート１（扉構造体３の左右方向の長さが長いローラゲート１）の場合、また、夏場の場合においては、扉構造体３の変形を確実に防止することができ、漏水を確実に防止することができる。
【００２９】
この実施例１にかかるローラゲート１は、空気２５と共に取り込まれた上流側の河川８の水２６を、取水部材５から送水管７を経て散水部材６に送るものであるから、電動ポンプにより河川８の水２６を扉構造体３に撒くもの（システム）と比較して、ランニングコストが安価であり、かつ、構造が簡単であり、コンパクトである。
【００３０】
特に、この実施例１にかかるローラゲート１は、上流側の河川８の水２６を扉構造体３の頂部に撒くことができるので、特に、日照により暖められ易い扉構造体３の頂部の温度を下げることができる。これにより、この実施例１にかかるローラゲート１は、扉構造体３の頂部が日照により暖められて、扉構造体３の頂部と底部との間に温度差が生じて、扉構造体３が変形するのを確実に防止することができるので、漏水を確実に防止することができる。すなわち、扉構造体３の頂部の温度と底部の温度との差が小さくなるので、扉構造体３の日照による変形を防ぐことができる。
【実施例２】
【００３１】
図７〜図１１は、この発明にかかるローラゲートの実施例２を示す。図中、図１〜図６と同符号は、同一のものを示す。
【００３２】
この実施例２にかかるローラゲート１００の送水管７００の構造が前記の実施例１にかかるローラゲート１の送水管７の構造と異なる。すなわち、この実施例２にかかるローラゲート１００の送水管７００は、フレキシブル管２７０と、放水兼散水管２８０と、弁３２０と、から構成されている。前記放水兼散水管２８０は、扉構造体３の頂部を跨ぐように配置されている。前記放水兼散水管２８０は、固定具３３により、支柱構造体２あるいは河川８の底部９あるいはその他の構造体に固定されている。
【００３３】
なお、図１１中の二点鎖線にて示すように、この実施例２にかかるローラゲート１００の送水管７００の放水兼散水管２８０の途中に、前記の実施例１にかかるローラゲート１の放水管７の第２分岐管３０を接続しても良い。前記第２分岐管３０は、前記の実施例１のように、管理橋１３に沿って水平方向に配置されている。前記第２分岐管３０に散水管３１を介して散水部材６を接続しても良い。
【００３４】
この実施例２にかかるローラゲート１００は、以上のごとき構成からなるので、前記の実施例１にかかるローラゲート１の作用効果とほぼ同等の作用効果を達成することができる。特に、この実施例２にかかるローラゲート１００は、送水管７００の放水兼散水管２８０を、扉構造体３の頂部を跨ぐように配置するものであるから、既設のローラゲート１００にこの発明の散水システムを配置することができる。
【００３５】
「実施例１、２以外の例の説明」
なお、前記の実施例１、２においては、河川８の水２６を散水部材６から扉構造体３の頂部に撒くものである。ところが、この発明においては、河川８の水２６を扉構造体３の頂部以外の部分に撒いても良いし、扉構造体３の頂部とその他の部分に撒いても良い。
【００３６】
また、前記の実施例１、２においては、散水部材６に開閉弁を設けるものである。ところが、この発明においては、散水部材６に開閉弁を設けずに、ノズルのみを設けても良い。この場合においては、送水管７、７００の弁３２、３２０の開閉により、散水部材６のノズルから水２６を撒くこととなる。
【符号の説明】
【００３７】
１、１００  ローラゲート
２  支柱構造体
３  扉構造体
４  昇降装置
５  取水部材
６  散水部材
７、７００  送水管
８  河川
９  底部
１０  操作室
１１  戸溝や戸当たり部材
１２  水面
１３  管理橋
１４  主ローラ
１５  底部戸当たり部材
１６  巻き上げ機
１７  ガイドシーブ
１８  吊金具
１９  吊シーブ
２０  ワイヤロープ
２１  フロート
２２  呑み口
２３  取付部材
２４  スクリーン
２５  空気
２６  水
２７、２７０  フレキシブル管
２８  放水管
２８０  放水兼散水管
２９  第１分岐管
３０  第２分岐管
３１  散水管
３２、３２０  弁
３３  固定具
【図１】
0005627478.tif 000002
【図２】
0005627478.tif 000003
【図３】
0005627478.tif 000004
【図４】
0005627478.tif 000005
【図５】
0005627478.tif 000006
【図６】
0005627478.tif 000007
【図７】
0005627478.tif 000008
【図８】
0005627478.tif 000009
【図９】
0005627478.tif 000010
【図１０】
0005627478.tif 000011
【図１１】
0005627478.tif 000012